(57)【要約】【課題】空気調和機において、風向を制御する風向偏向羽根の全長を空気調和機本体の横幅と略同等にし、吹出口の横幅より長くし、吹出口から吹出される風の風向偏向能力を向上させる。【解決手段】内部に風回路を有する空気調和機の本体１１において、風向偏向羽根１３の長さを本体の幅と同等にしたものである。風向偏向羽根１３が吹出口１２よりも長くなったことによって、吹出口１２から左右方向に風が吹き出される際に、風向偏向羽根１３による偏向の効果が高まるため、左右方向への風向偏向能力が向上する。【選択図】図１
2011075238.tif 000002
【特許請求の範囲】
【請求項１】
本体内部に風回路を有し、吸入した空気を、前記風回路を通じて吹出口から吹出す空気調和機において、前記吹出口の前方に位置して開閉して吹出した風の風向を制御する風向偏向羽根を有し、前記風向偏向羽根の長手方向の長さが、前記本体の横幅と略同等であることを特徴とする空気調和機。
【請求項２】
前記空気調和機は、前記本体前面部に機能部品を有し、前記風向偏向羽根の全閉時に、前記機能部品を覆うことを特徴とする、請求項1に記載の空気調和機。
【請求項３】
前記機能部品は、前記空気調和機のリモコン受信部、運転表示部、ＬＥＤ表示部、人体検知部、明るさ検知部、吸込み温度検知部、吸込み湿度検知部、吹出し温度検知部、吹出し湿度検知部、スイッチ部、電源部、イオン発生部、芳香剤放出部、音声発生部、銘板部のうちのいずれかまたはその組み合わせであることを特徴とする請求項１〜２のいずれかに記載の空気調和機。
【請求項４】
前記吹出口の横幅は前記本体の横幅より小なることを特徴とする請求項１〜３のいずれかに記載の空気調和機。
【請求項５】
前記空気調和機は運転停止時には、前記風向偏向羽根を全閉状態にすることを特徴とする請求項１〜４のいずれかに記載の空気調和機。
【発明の詳細な説明】
【技術分野】
【０００１】
本発明は、空気調和機に関し、さらに詳しくは前記空気調和機が吹出す風の風向を制御する風向偏向羽根に関するものである。
【背景技術】
【０００２】
従来、この種の空気調和機としては、本体１の前面に吹出口３を有し、風向制御のために風向偏向羽根９を有するものがあった（特許文献１参照）。図５は前記文献に記載された従来の空気調和機の正面図である。同図において、吹出口３から吹き出された風は、風向偏向羽根９によって風向の制御が成されていた。
【先行技術文献】
【特許文献】
【０００３】
【特許文献１】特開２００８―１５７５１４号公報
【発明の概要】
【発明が解決しようとする課題】
【０００４】
しかしながら、前記従来の構成では、風向を制御する風向偏向羽根９が吹出口３と同等の長さのため、左右に風を偏向させる際に、端部での偏向能力が落ちている場合があった。
【０００５】
また、空気調和機の本体に設ける機能部品、すなわち各種のセンサー類や表示部類等と風向偏向羽根が干渉し、空気調和機本体内の機能部品の収納スペースの確保と風向偏向羽根の大きさの確保とが両立できないという課題があった。
【０００６】
本発明は、上記従来の課題を解決するもので、より風向偏向機能を向上させた空気調和機の風向偏向羽根の提供を目的とする。
【課題を解決するための手段】
【０００７】
前記従来の課題を解決するために、本発明の空気調和機は、本体内部に風回路を有し、吸入した空気を、前記風回路を通じて吹出口から吹出す空気調和機において、前記吹出口の前方に位置して開閉して吹出した風の風向を制御する風向偏向羽根を有し、前記風向偏向羽根の長手方向の長さが、前記本体の横幅と略同等としたものである。
この構成をなすことにより、風向偏向羽根の長さを吹出口よりも長くすることにより、左もしくは右方向に風が吹き出される際に、風向偏向羽根による偏向の効果を高めながら、機能部品の収納スペースを確保することができる。
【発明の効果】
【０００８】
本発明の風向偏向羽根は、羽根の長さを本体長さと同等にすることにより、左もしくは右方向に風が吹き出される際に、空気調和機の風向偏向能力を確保しながら機能部品の収納スペースを確保することができる。
【発明を実施するための最良の形態】
【０００９】
第１の発明は、本体内部に風回路を有し、吸入した空気を、前記風回路を通じて吹出口から吹出す空気調和機において、前記吹出口の前方に位置して開閉して吹出した風の風向を制御する風向偏向羽根を有し、前記風向偏向羽根の長手方向の長さが、前記本体の横幅と略同等とすることにより、風向偏向羽根による偏向の効果が高まることから、左または右方向に風が吹き出される際の風向偏向能力を向上させることができる。
【００１０】
第２の発明は、特に第１の発明の前記本体前面部に機能部品を有し、前記風向偏向羽根の全閉時に、前記機能部品を覆うことにより、各種のセンサー類や表示部類等の機能部品を風向偏向羽根と干渉せずに空気調和機に格納することができる。
第３の発明は、特に第１〜２の発明の機能部品を、前記空気調和機のリモコン受信部、運転表示部、ＬＥＤ表示部、人体検知部、明るさ検知部、吸込み温度検知部、吸込み湿度検知部、吹出し温度検知部、吹出し湿度検知部、スイッチ部、電源部、イオン発生部、芳香剤放出部、音声発生部、銘板部のうちのいずれかまたはその組み合わせとすることにより、空気調和機の室内機のすべての機能部品を風向偏向羽根と干渉せずに空気調和機に格納することができる。
第４の発明は、特に第１〜３の発明の吹出口の横幅は本体の横幅より小なることとすることにより、風向偏向羽根による偏向の効果が高まることから、左または右方向に風が吹き出される際の風向偏向能力を向上させることができる。
第５の発明は、特に第１〜４の発明の空気調和機は運転停止時には、前記風向偏向羽根を全閉状態にすることにより、風向偏向羽根により機能部品を保護することができ、無用な故障を回避することができる。
【００１１】
以下、本発明の実施の形態について図面を参照しながら説明する。なお、この実施の形態によって本発明が限定されるものではない。
【００１２】
（実施の形態１）
図１は、本発明の第１の実施の形態における空気調和機の正面図である。同図において、内部に風回路を有する本体１１は、前方に、吸入した空気を吹出す吹出口１２、吹出した風の風向を制御する風向偏向羽根１３を有している。
【００１３】
また、図２は風向偏向羽根１３の拡大図である。
【００１４】
前記本体１１において、風向偏向羽根１３の長手方向の長さＬ１は本体１１の横幅Ｌ２と略同等である。そして、図２の風向偏向羽根１３の両端部のＡ部、Ｂ部はそれぞれ、空気調和機本体１１の吹出口１２の正面よりも左右に延出した部分に相当する。
【００１５】
このように構成された空気調和機において、左右に風が吹出される際に、風向偏向羽根１３の長手方向の長さが吹出口１２よりも長いため、吹出口１２から左右に離れた場所であっても風向偏向羽根１３の表面（Ａ部、Ｂ部）を風が通過するため、風が風向偏向羽根の傾斜の影響を受け、風向偏向羽根による偏向の効果が高まる。したがって、左右に風が吹き出される際に、空気調和機の風向偏向能力を向上させることができる。
【００１６】
（実施の形態２）
図３、４は、本発明の第２の実施の形態における風向偏向羽根１３が開いたときの正面図、および、風向偏向羽根１３が閉じたときの正面図を示すものである。なお、当該実施の形態では、空気調和機１１の吸込口（図示せず）に設けた吸込パネル１４が駆動され移動するタイプ（空気調和機の運転時に開、同停止時に閉）について説明する。
本実施の形態では、図３において、前面に機能部品２１を持つ本体１１は、前方に、吸入した空気を吹き出す吹出口１２、吹き出した風を制御する風向偏向羽根１３を有し、尚且つ機能部品２１は風向変更羽根１３の後方、すなわち風向変更羽根１３によって隠されるように配置されている。
前記本体１１において、風向偏向羽根１３の全閉時に、風向偏向羽根１３が空気調和機本体１１の前面の機能部品２１を覆うように閉じられる（この実施の形態では、吸込みパネル１４とともに機能部品２１を覆う構成となっている）。
以上のように構成された空気調和機において、風向偏向羽根１３が全閉時には、機能部品
２１が風向偏向羽根１３に覆われているため、空気調和機本体１１における機能部品の収納スペースの確保と、風向偏向性能を向上させるための風向偏向羽根１３必要な長さ寸法の確保とが両立され、あるいは、前記両者が相互に干渉しないため、外観を損なわずに風向偏向能力を向上させることができる。
【産業上の利用可能性】
【００１７】
以上のように、本発明の風向偏向羽根は、左右方向に吹き出される風の偏向能力を高めることができるため、各種機能部品を本体に配置した大型空調設備や除湿機にも適用できる。
【図面の簡単な説明】
【００１８】
【図１】本発明の実施の形態１における空気調和機の正面図
【図２】風向偏向羽根１３の拡大図
【図３】本発明の実施の形態２における風向偏向羽根が開いたときの正面図
【図４】本発明の実施の形態２における風向偏向羽根が閉じたときの正面図
【図５】従来の空気調和機の正面図
【符号の説明】
【００１９】
１１、１  空気調和機の本体
１２、３  吹出口
１３、９  風向偏向羽根
２１  本体前面の機能部品
【図１】
2011075238.tif 000003
【図２】
2011075238.tif 000004
【図３】
2011075238.tif 000005
【図４】
2011075238.tif 000006
【図５】
2011075238.tif 000007